(57)【要約】【課題】不適切な環境下での動作時間を短縮し、適切な環境下で動作することが可能なプロジェクタ等を提供すること。【解決手段】プロジェクタ１００が、外気温度を測定する外気温度測定部１１０と、前記外気温度が動作保証範囲内かどうかを判定する判定部１２０と、前記外気温度が動作保証範囲外の場合にエアコン２００に温度制御情報を送信して温度調整制御を行う通信部１３０とを含んで構成される。【選択図】図１
2008170522.tif 000002
【特許請求の範囲】
【請求項１】
外気温度を測定する外気温度測定部と、
前記外気温度が動作保証範囲内かどうかを判定する判定部と、
前記外気温度が動作保証範囲外の場合に温度調整装置に温度制御情報を送信して温度調整制御を行う通信部と、
を含むことを特徴とするプロジェクタ。
【請求項２】
請求項１に記載のプロジェクタにおいて、
前記外気温度が動作保証範囲内の場合に前記プロジェクタを起動し、前記外気温度が動作保証範囲外の場合に前記プロジェクタを起動しない制御部を含むことを特徴とするプロジェクタ。
【請求項３】
請求項２に記載のプロジェクタにおいて、
前記判定部は、前記温度制御情報が送信されてから所定時間経過後に前記外気温度が動作保証範囲内かどうかを再判定し、
前記制御部は、当該再判定時に前記外気温度が動作保証範囲内と判定された場合、前記プロジェクタを起動することを特徴とするプロジェクタ。
【請求項４】
請求項２、３のいずれかに記載のプロジェクタにおいて、
前記通信部は、外部の制御装置から制御情報を受信し、
前記制御部は、前記制御情報が受信された場合に前記プロジェクタの起動を制御することを特徴とするプロジェクタ。
【請求項５】
請求項２〜４のいずれかに記載のプロジェクタにおいて、
前記制御部は、前記外気温度が動作保証範囲外の場合に、前記プロジェクタが起動不能であることをユーザーに通知することを特徴とするプロジェクタ。
【請求項６】
請求項１〜５のいずれかに記載のプロジェクタにおいて、
前記温度調整装置は、エアーコンディショナーであることを特徴とするプロジェクタ。
【請求項７】
外気温度を測定する外気温度測定部と、通信部とを有するプロジェクタの有するコンピュータを、
前記外気温度が動作保証範囲内かどうかを判定する判定部と、
前記外気温度が動作保証範囲外の場合に温度調整装置に温度制御情報を前記通信部に送信させて温度調整制御を行う通信制御部として機能させることを特徴とするプログラム。
【請求項８】
外気温度を測定する外気温度測定部と、通信部とを有するプロジェクタの有するコンピュータにより読み取り可能な情報記憶媒体であって、
請求項７に記載のプログラムを記憶した情報記憶媒体。
【発明の詳細な説明】
【技術分野】
【０００１】
本発明は、温度制御機能を有するプロジェクタ、プログラムおよび情報記憶媒体に関する。
【背景技術】
【０００２】
従来のプロジェクタは、温度制御として、プロジェクタ内部の温度を測定し、測定した温度に従ってファンの回転数を変更して冷却力を調整し、調整後も高温状態が継続する場合にユーザーに高温であることを警告し、動作可能温度を超える場合に温度異常として強制終了する制御を行っていた。
【０００３】
これらの処理は「冷却処理をした結果どのような状態になったか」ということを前提とした処理となっている。しかし、プロジェクタは、動作保証対象外となるような場所で動作する場合もある。例えば、暖房運転中のエアコン（エアーコンディショナー）の噴出口付近にプロジェクタが設置されている場合、動作が保証されないような高温の地域で動作する場合等である。
【０００４】
このような環境でプロジェクタが動作した場合、上述した処理を一定時間実行した後、温度異常状態と判定してプロジェクタは強制終了する。しかし、終了するまでの一定時間は高温環境下で動作することになり、動作の不具合の原因となったり、製品の寿命を縮める原因となったりする。
【０００５】
このような問題を解決する手法として、プロジェクタが、外気温度を測定し、外気温度に応じた冷却を行うことが考えられる。例えば、特開２００６−３０１３６８号公報では、外気温度検出用の温度センサーを有し、温度センサーの検出温度が低い場合にファンの回転速度が遅くなるように制御することが記載されている。
【特許文献１】特開２００６−３０１３６８号公報
【発明の開示】
【発明が解決しようとする課題】
【０００６】
しかし、特開２００６−３０１３６８号公報の手法も、ファンの回転速度を外気温度に応じて調整することが目的となっており、高温環境下または低温環境下での動作時間を短縮することは目的となっていない。
【０００７】
本発明の目的は、不適切な環境下での動作時間を短縮し、適切な環境下で動作することが可能なプロジェクタ、プログラムおよび情報記憶媒体を提供することにある。
【課題を解決するための手段】
【０００８】
上記課題を解決するため、本発明に係るプロジェクタは、外気温度を測定する外気温度測定部と、前記外気温度が動作保証範囲内かどうかを判定する判定部と、前記外気温度が動作保証範囲外の場合に温度調整装置に温度制御情報を送信して温度調整制御を行う通信部と、を含むことを特徴とする。
【０００９】
また、本発明に係るプログラムは、外気温度を測定する外気温度測定部と、通信部とを有するプロジェクタの有するコンピュータを、前記外気温度が動作保証範囲内かどうかを判定する判定部と、前記外気温度が動作保証範囲外の場合に温度調整装置に温度制御情報を前記通信部に送信させて温度調整制御を行う通信制御部として機能させることを特徴とする。
【００１０】
また、本発明に係る情報記憶媒体は、外気温度を測定する外気温度測定部と、通信部とを有するプロジェクタの有するコンピュータにより読み取り可能な情報記憶媒体であって、上記プログラムを記憶したことを特徴とする。
【００１１】
本発明によれば、プロジェクタは、外気温度が動作保証範囲外の場合に温度調整装置に温度制御情報を送信して温度調整制御を行うことにより、より迅速に温度の調整を行うことができるため、不適切な環境下での動作時間を短縮し、適切な環境下で動作することが可能になる。
【００１２】
また、前記プロジェクタは、前記外気温度が動作保証範囲内の場合に前記プロジェクタを起動し、前記外気温度が動作保証範囲外の場合に前記プロジェクタを起動しない制御部を含んでもよい。
【００１３】
これによれば、プロジェクタは、外気温度が動作保証範囲内の場合のみ起動することができるため、適切な環境下で動作することが可能になる。
【００１４】
また、前記判定部は、前記温度制御情報が送信されてから所定時間経過後に前記外気温度が動作保証範囲内かどうかを再判定し、前記制御部は、当該再判定時に前記外気温度が動作保証範囲内と判定された場合、前記プロジェクタを起動してもよい。
【００１５】
これによれば、プロジェクタは、外気温度が動作保証範囲外の場合であっても外気温度が動作保証範囲内になった場合に即座に起動することができるため、適切な環境下で動作することが可能になる。
【００１６】
また、前記通信部は、外部の制御装置から制御情報を受信し、前記制御部は、前記制御情報が受信された場合に前記プロジェクタの起動を制御してもよい。
【００１７】
これによれば、ユーザーは、プロジェクタを遠隔制御することができ、画像の投写開始前に適切な環境に調整してから画像を投写することができるため、よりスムーズに画像の投写を行うことができる。
【００１８】
また、前記制御部は、前記外気温度が動作保証範囲外の場合に、前記プロジェクタが起動不能であることをユーザーに通知してもよい。
【００１９】
これによれば、プロジェクタは、ユーザーに起動不能であることを通知することにより、ユーザーに対処させることができる。
【００２０】
また、前記温度調整装置は、エアーコンディショナーであってもよい。
【００２１】
これによれば、プロジェクタは、エアーコンディショナー（いわゆるエアコン）によって外気温度がスムーズに調整され、適切な環境下で動作することができる。
【発明を実施するための最良の形態】
【００２２】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２３】
図１は、本実施例におけるプロジェクタ１００の機能ブロック図である。プロジェクタ１００は、温度調整装置の一種であるエアコン２００に対して温度制御情報を送信するとともに、制御装置の一種であるＰＣ（Personal Computer）３００から制御情報を受信する通信部１３０と、プロジェクタ１００外部の空気（外気）を吸引する吸引ファン１６０と、吸引された外気温度を測定する外気温度測定部１１０と、外気温度がプロジェクタ１００の動作保証範囲内かどうかを判定する判定部１２０とを含んで構成されている。
【００２４】
また、プロジェクタ１００は、外気温度が動作保証範囲内の場合にプロジェクタ１００を起動し、外気温度が動作保証範囲外の場合にプロジェクタ１００を起動しない制御を行う制御部１５０と、動作保証範囲等を示す設定データ１４２等を記憶する記憶部１４０と、画像生成部１７０と、投写部１８０と、警告表示用のＬＥＤ１８２と、タイマー部１９０とを含んで構成されている。なお、設定データ１４２には、例えば、動作保証範囲の温度を示すデータ、温度調整不能な温度を示すデータ等が含まれる。
【００２５】
なお、これらの各部は、例えば、以下のハードウェアを用いて実装可能である。例えば、通信部１３０としては赤外通信ユニット等、外気温度測定部１１０としてはサーミスタ等、判定部１２０、制御部１５０としてはＣＰＵ等、記憶部１４０としてはＲＯＭ等、画像生成部１７０としては画像処理回路等、投写部１８０としては液晶パネル、ランプ、レンズ等、タイマー部１９０としてはシステムタイマー等が採用されてもよい。
【００２６】
また、プロジェクタ１００は、これらの各部の機能を実装するためのプログラムを記憶した情報記憶媒体４００から当該プログラムを読み取って各部の機能を実装してもよい。このような情報記憶媒体４００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２７】
次に、これらの各部を用いたプロジェクタ１００を起動するまでの処理の流れについて説明する。図２は、本実施例におけるプロジェクタ起動までの処理の流れを示すフローチャートである。
【００２８】
プロジェクタ１００の起動指示があった場合、制御部１５０は、吸引ファン１６０を駆動して回転させる（ステップＳ１）。これにより、プロジェクタ１００の外気がプロジェクタ１００の内部に吸引される。
【００２９】
外気温度測定部１１０は、吸引ファン１６０によって吸引された流入空気の温度を測定する（ステップＳ２）。なお、外気温度測定部１１０がプロジェクタ１００の外部に設けられる場合は吸引ファン１６０およびステップＳ１の処理は不要である。
【００３０】
判定部１２０は、設定データ１４２を参照することにより、外気温度測定部１１０によって測定された外気温度が動作保証範囲内かどうかを判定する（ステップＳ３）。動作保証範囲は任意であるが、ここでは、５℃〜３５℃であるものとする。
【００３１】
制御部１５０は、判定部１２０によって外気温度が動作保証範囲内と判定された場合、プロジェクタ１００を通常起動する（ステップＳ４）。
【００３２】
一方、判定部１２０は、外気温度が動作保証範囲外であると判定した場合、設定データ１４２を参照することにより、外気温度が調整不能な温度であるかどうかを判定する（ステップＳ５）。調整不能な温度の値は任意であるが、ここでは、−１０℃以下または５０℃以上であるものとする。
【００３３】
例えば、外気温度が−１２℃の場合、判定部１２０によって調整不能な温度であると判定され、制御部１５０は、ＬＥＤ１８２を点滅させ、ユーザーにプロジェクタ１００を起動できないことを通知する（ステップＳ６）。
【００３４】
また、外気温度が調整可能な温度である場合、通信部１３０は、エアコン２００に温度制御情報を送信する（ステップＳ７）。なお、温度制御情報は、エアコン２００のリモコン（リモートコントローラ）からの温度調整用の情報（例えば、赤外信号等）と同じものであってもよい。
【００３５】
例えば、外気温度が４０℃の場合、通信部１３０は、外気温度を３５℃以下に調整するため、冷房を行わせるための温度制御情報をエアコン２００に送信する。また、例えば、外気温度が０℃の場合、通信部１３０は、外気温度を５℃以上に調整するため、暖房を行わせるための温度制御情報をエアコン２００に送信する。
【００３６】
温度制御情報の送信後、判定部１２０は、タイマー部１９０のタイマー値を参照して通信部１３０によって温度制御情報が送信された後、所定時間（例えば、５分等）が経過したかどうかを判定する（ステップＳ８）。所定時間が経過した場合、プロジェクタ１００は、温度測定（ステップＳ２）以降の処理を再び実行する。
【００３７】
以上のように、本実施例によれば、初期状態では外気温度が動作保証範囲外であっても、エアコン２００によって温度が調整され、外気温度が迅速に動作保証範囲内になることにより、プロジェクタ１００は、適切な環境下で動作することが可能になる。また、温度調整は手動ではなく自動であるため、ユーザーの手間を軽減することができる。
【００３８】
また、本実施例によれば、プロジェクタ１００は、外気温度に応じて起動を制御することにより、外気温度が動作保証範囲内の場合のみ起動することができるため、適切な環境下で動作することが可能になる。
【００３９】
また、本実施例によれば、プロジェクタ１００は、外気温度が動作保証範囲外の場合であっても外気温度が動作保証範囲内になった場合に即座に起動することができるため、適切な環境下で動作することが可能になる。
【００４０】
また、本実施例によれば、プロジェクタ１００は、調整不能な外気温度である場合、ユーザーに起動不能であることを通知することにより、例えば、ユーザーに別の場所でプロジェクタ１００を使用させる等の対処をさせることができる。
【００４１】
また、本実施例によれば、従来のプロジェクタ１００の温度制御のように、“冷却処理をした結果”ではなく、“設置環境”をトリガーとして温度制御を行うことができるため、迅速に適切な環境下での動作が可能になる。
【００４２】
また、本実施例によれば、プロジェクタ１００は、不適切な環境下で起動することがないため、故障等が発生しにくく、長期間安定して動作することが可能になる。
【００４３】
なお、本発明の適用は上述した実施例に限定されず、種々の変形が可能である。例えば、通知の手法はＬＥＤ１８２を点滅させる手法には限定されず、通知画像を投写する手法、音声で通知する手法等であってもよい。例えば、プロジェクタ１００は起動可能ではあるが外気温度が高すぎる場合、制御部１５０は、画像生成部１７０に外気温度が高すぎることをユーザーに通知するための通知画像を生成させ、投写部１８０は、当該通知画像を投写してもよい。これによれば、ユーザーは、適切に起動できない原因を把握することができ、問題に対処しやすくなる。
【００４４】
また、制御装置として機能するＰＣ３００は、プロジェクタ１００とは離れた場所にあってもよい。具体的には、例えば、ユーザーは、１０時からプロジェクタ１００の設置された会議室でプロジェクタ１００を用いた会議を行う場合、９時４５分に手元のＰＣ３００からＬＡＮを介してプロジェクタ１００を起動するための制御情報を送信してもよい。
【００４５】
プロジェクタ１００は、当該制御情報を受信した場合、上述した温度制御を行う。これにより、ユーザーは、会議を行う前に会議室を適切な環境に設定することができる上、プロジェクタ１００も起動されているため、迅速に画像を投写でき、スムーズに会議やプレゼンテーション等を行うことができる。
【００４６】
また、制御装置は、ＰＣ３００には限定されず、例えば、携帯電話、ゲーム装置、リモコン、操作パネル等であってもよい。また、温度調整装置は、エアコン２００には限定されず、例えば、ヒーター、ストーブ、温風機、扇風機等の温度調整機能を有する種々の装置を採用可能である。
【００４７】
また、上述した実施例では、プロジェクタ１００は、動作保証範囲外の場合に調整不能かどうかを判定してから温度制御情報を送信しているが、動作保証範囲外の場合に即座に温度制御情報を送信してもよい。また、プロジェクタ１００は、外気温度に応じて内部の温度調整制御を変更してもよい。具体的には、例えば、プロジェクタ１００は、外気温度が基準値よりも高い場合には冷却ファンの回転速度を基準速度よりも速くし、外気温度が基準値よりも低い場合には冷却ファンの回転速度を基準速度よりも遅くしてもよい。
【００４８】
また、上述した実施例では、プロジェクタ１００は、起動前に外気温度を測定しているが、例えば、起動後の通常動作時に外気温度を測定して外気温度を調整してもよい。また、上述した実施例では、プロジェクタ１００は、外気温度を調整しているが、湿度を測定して測定結果に応じてエアコン２００や加湿器等を制御して湿度を調整してもよい。
【００４９】
また、プロジェクタ１００としては、例えば、液晶プロジェクタ、ＣＲＴ（Cathode Ray Tube）プロジェクタ、ＤＭＤ（Digital Micromirror Device）を用いたプロジェクタ等を用いてもよい。なお、ＤＭＤは米国テキサスインスツルメンツ社の商標である。
【図面の簡単な説明】
【００５０】
【図１】本実施例におけるプロジェクタの機能ブロック図である。
【図２】本実施例におけるプロジェクタ起動までの処理の流れを示すフローチャートである。
【符号の説明】
【００５１】
１００  プロジェクタ、１１０  外気温度測定部、１２０  判定部、１３０  通信部、１４０  記憶部、１４２  設定データ、１５０  制御部、１６０  吸引ファン、１７０  画像生成部、１８０  投写部、１８２  ＬＥＤ、１９０  タイマー部、２００  エアコン（温度調整装置）、３００  ＰＣ（制御装置）、４００  情報記憶媒体
【図１】
2008170522.tif 000003
【図２】
2008170522.tif 000004